(57)【特許請求の範囲】
【請求項１】
ユーザ操作に応じて表示部に表示された図の中のいずれかの文字列を指定して、当該文字列にリンクされた説明情報を表示させるリンク指定説明情報表示手段を有する携帯機器において、
前記表示された図の中の任意の文字列に、ユーザ操作に応じてマーカを付加する図マーカ付加手段と、
この図マーカ付加手段によりマーカが付加された文字列について、前記リンク指定説明情報表示手段により当該文字列にリンクされた説明情報が前記表示部に表示された際に、同表示された説明情報の前記マーカが付加された文字列と同じ文字列を検知してマーカを付加するリンク先マーカ付加手段と、
ユーザ操作に応じて図を表示させる際に、前記図マーカ付加手段によりマーカが付加された文字列を隠して表示させる図マーカ文字列隠し手段と、
前記リンク指定説明情報表示手段により、前記図マーカ付加手段によりマーカが付加された文字列を表示させる際に、前記リンク先マーカ付加手段によりマーカが付加された文字列を隠して表示させるリンク先マーカ文字列隠し手段と、
前記図マーカ文字列隠し手段によるマーカが付加された文字列の隠し表示を、ユーザ操作に応じて解除する図マーカ文字列隠し解除手段と、
前記リンク先マーカ文字列隠し手段によるマーカが付加された文字列の隠し表示を、ユーザ操作に応じて解除するリンク先マーカ文字列隠し解除手段と、
を備えたことを特徴とする携帯機器。
【請求項２】
複数の見出し語と当該各見出し語の説明情報とを対応付けた辞書データを記憶する辞書記憶手段を備え、
前記リンク指定説明情報表示手段は、前記指定された図のなかの文字列を見出し語としてリンクされた当該見出し語の説明情報を、前記辞書記憶手段により記憶された辞書データから読み出して表示させ、
前記図マーカ付加手段によりマーカが付加されない文字列について、前記リンク指定説明情報表示手段により当該文字列を見出し語とする説明情報が前記表示部に表示された際に、同表示された説明情報の見出し語に、ユーザ操作に応じてマーカを付加するリンク先見出し語マーカ付加手段と、
このリンク先見出し語マーカ付加手段により前記説明情報の見出し語にマーカが付加された際に、当該見出し語のリンク元である図の中の文字列にマーカを付加するリンク元図マーカ付加手段と、
を備えたことを特徴とする請求項１に記載の携帯機器。
【請求項３】
前記図マーカ付加手段は、前記表示された図の中の任意の文字列に、ユーザ操作に応じて任意の色のマーカを付加し、
前記リンク先マーカ付加手段は、前記図マーカ付加手段によりマーカが付加された文字列について、前記リンク指定説明情報表示手段により当該文字列を見出し語とする説明情報が前記表示部に表示された際に、同表示された説明情報の前記マーカが付加された文字列と同じ文字列を検知して同じ色のマーカを付加する、
ことを特徴とする請求項２に記載の携帯機器。
【請求項４】
前記リンク先見出し語マーカ付加手段は、前記図マーカ付加手段によりマーカが付加されない文字列について、前記リンク指定説明情報表示手段により当該文字列を見出し語とする説明情報が前記表示部に表示された際に、同表示された説明情報の見出し語に、ユーザ操作に応じて任意の色のマーカを付加し、
前記リンク元図マーカ付加手段は、前記リンク先見出し語マーカ付加手段により前記説明情報の見出し語にマーカが付加された際に、当該見出し語のリンク元である図の中の文字列に同じ色のマーカを付加する、
ことを特徴とする請求項２に記載の携帯機器。
【請求項５】
ユーザ操作に応じて表示された図の中のいずれかの文字列を指定して、当該文字列にリンクされた当該文字列を含む説明情報を表示させるリンク指定説明情報表示手段を有する携帯機器において、
前記表示された図の中の任意の文字列に、ユーザ操作に応じてマーカを付加する図マーカ付加手段と、
前記図マーカ付加手段によりマーカが付加されない図の中の文字列について、前記リンク指定説明情報表示手段により当該文字列のリンクされた説明情報が表示された際に、同表示された説明情報中の前記リンク元の文字列部分に、ユーザ操作に応じてマーカを付加するリンク先文字列マーカ付加手段と、
このリンク先文字列マーカ付加手段により前記説明情報中の前記リンク元の文字列部分にマーカが付加された際に、当該文字列部分のリンク元である図の中の文字列にマーカを付加するリンク元図マーカ付加手段と、
を備えたことを特徴とする携帯機器。
【請求項６】
表示部とメモリとを備えた電子機器のコンピュータを制御するためのプログラムであって、
前記コンピュータを、
ユーザ操作に応じて前記表示部に表示された図の中のいずれかの文字列を指定して、当該文字列にリンクされた説明情報を表示させるリンク指定説明情報表示手段として機能させ、
さらに、前記コンピュータを、
前記表示された図の中の任意の文字列に、ユーザ操作に応じてマーカを付加する図マーカ付加手段、
この図マーカ付加手段によりマーカが付加された文字列について、前記リンク指定説明情報表示手段により当該文字列にリンクされた説明情報が前記表示部に表示された際に、同表示された説明情報の前記マーカが付加された文字列と同じ文字列を検知してマーカを付加するリンク先マーカ付加手段、
ユーザ操作に応じて図を表示させる際に、前記図マーカ付加手段によりマーカが付加された文字列を隠して表示させる図マーカ文字列隠し手段、
前記リンク指定説明情報表示手段により、前記図マーカ付加手段によりマーカが付加された文字列を表示部に表示させる際に、前記リンク先マーカ付加手段によりマーカが付加された文字列を隠して表示させるリンク先マーカ文字列隠し手段、
前記図マーカ文字列隠し手段によるマーカが付加された文字列の隠し表示を、ユーザ操作に応じて解除する図マーカ文字列隠し解除手段、
前記リンク先マーカ文字列隠し手段によるマーカが付加された文字列の隠し表示を、ユーザ操作に応じて解除するリンク先マーカ文字列隠し解除手段、
として機能させるためのプログラム。
【請求項７】
表示部とメモリとを備えた電子機器のコンピュータを制御するためのプログラムであって、
前記コンピュータを、
ユーザ操作に応じて前記表示部に表示された図の中のいずれかの文字列を指定して、当該文字列にリンクされた当該文字列を含む説明情報を前記表示部に表示させるリンク指定説明情報表示手段として機能させ、
さらに、前記コンピュータを、
前記表示された図の中の任意の文字列に、ユーザ操作に応じてマーカを付加する図マーカ付加手段、
前記図マーカ付加手段によりマーカが付加されない図の中の文字列について、前記リンク指定説明情報表示手段により当該文字列のリンクされた説明情報が表示された際に、同表示された説明情報中の前記リンク元の文字列部分に、ユーザ操作に応じてマーカを付加するリンク先文字列マーカ付加手段、
このリンク先文字列マーカ付加手段により前記説明情報中の前記リンク元の文字列部分にマーカが付加された際に、当該文字列部分のリンク元である図の中の文字列にマーカを付加するリンク元図マーカ付加手段、
として機能させるためのプログラム。
【発明の詳細な説明】
【技術分野】
【０００１】
本発明は、マーカ機能を備えた携帯機器およびその制御プログラムに関する。
【背景技術】
【０００２】
従来、電子辞書装置には、辞書検索された所望の見出し語を、別途ユーザ独自の単語帳として登録し、この単語帳内の登録単語を適宜呼び出して表示させることができる単語帳機能を搭載したものがある。
【０００３】
また、辞書検索された所望の見出し語とその説明情報の表示画面において、注目すべき文字列（単語）をマーカにより識別して表示させることのできるマーカ機能を搭載したものがある。
【０００４】
そして、前記単語帳機能とマーカ機能を組み合わせて搭載した電子辞書装置も考えられている（例えば、特許文献１参照。）。
【先行技術文献】
【特許文献】
【０００５】
【特許文献１】特開２００４−２１３２９９号公報
【発明の概要】
【発明が解決しようとする課題】
【０００６】
最近の電子辞書装置では、見出し語の説明情報としてその説明を解説する図が付加されるようになっている。そして、図中に表記された文字列（単語）は辞書の見出し語とリンクされており、当該図中の文字列を指定することで、同文字列を見出し語とする説明情報にジャンプして表示させることができるようになっている。
【０００７】
しかしながら、前記図中の注目すべき文字列にマーカを引いて登録することはできないため、この図中の注目文字列へのマーカ機能を実現し、これを利用して、より効果的に学習できるようにすることが望まれる。
【０００８】
本発明は、このような課題に鑑みなされたもので、説明情報がリンクされた図の中の文字列へのマーカ機能を実現し、これを利用してより効果的に学習することが可能になる携帯機器およびその制御プログラムを提供することを目的とする。
【課題を解決するための手段】
【０００９】
請求項１に記載の携帯機器は、ユーザ操作に応じて表示部に表示された図の中のいずれかの文字列を指定して、当該文字列にリンクされた説明情報を表示させるリンク指定説明情報表示手段を有する携帯機器において、前記表示された図の中の任意の文字列に、ユーザ操作に応じてマーカを付加する図マーカ付加手段と、この図マーカ付加手段によりマーカが付加された文字列について、前記リンク指定説明情報表示手段により当該文字列にリンクされた説明情報が前記表示部に表示された際に、同表示された説明情報の前記マーカが付加された文字列と同じ文字列を検知してマーカを付加するリンク先マーカ付加手段と、ユーザ操作に応じて図を表示させる際に、前記図マーカ付加手段によりマーカが付加された文字列を隠して表示させる図マーカ文字列隠し手段と、前記リンク指定説明情報表示手段により、前記図マーカ付加手段によりマーカが付加された文字列を表示させる際に、前記リンク先マーカ付加手段によりマーカが付加された文字列を隠して表示させるリンク先マーカ文字列隠し手段と、前記図マーカ文字列隠し手段によるマーカが付加された文字列の隠し表示を、ユーザ操作に応じて解除する図マーカ文字列隠し解除手段と、前記リンク先マーカ文字列隠し手段によるマーカが付加された文字列の隠し表示を、ユーザ操作に応じて解除するリンク先マーカ文字列隠し解除手段と、を備えたことを特徴としている。
【００１０】
請求項２に記載の携帯機器は、前記請求項１に記載の携帯機器において、複数の見出し語と当該各見出し語の説明情報とを対応付けた辞書データを記憶する辞書記憶手段を備え、前記リンク指定説明情報表示手段は、前記指定された図のなかの文字列を見出し語としてリンクされた当該見出し語の説明情報を、前記辞書記憶手段により記憶された辞書データから読み出して表示させ、前記図マーカ付加手段によりマーカが付加されない文字列について、前記リンク指定説明情報表示手段により当該文字列を見出し語とする説明情報が前記表示部に表示された際に、同表示された説明情報の見出し語に、ユーザ操作に応じてマーカを付加するリンク先見出し語マーカ付加手段と、このリンク先見出し語マーカ付加手段により前記説明情報の見出し語にマーカが付加された際に、当該見出し語のリンク元である図の中の文字列にマーカを付加するリンク元図マーカ付加手段と、を備えたことを特徴としている。
【００１１】
請求項３に記載の携帯機器は、前記請求項２に記載の携帯機器において、前記図マーカ付加手段は、前記表示された図の中の任意の文字列に、ユーザ操作に応じて任意の色のマーカを付加し、前記リンク先マーカ付加手段は、前記図マーカ付加手段によりマーカが付加された文字列について、前記リンク指定説明情報表示手段により当該文字列を見出し語とする説明情報が前記表示部に表示された際に、同表示された説明情報の前記マーカが付加された文字列と同じ文字列を検知して同じ色のマーカを付加する、ことを特徴としている。
【００１２】
請求項４に記載の携帯機器は、前記請求項２に記載の携帯機器において、前記リンク先見出し語マーカ付加手段は、前記図マーカ付加手段によりマーカが付加されない文字列について、前記リンク指定説明情報表示手段により当該文字列を見出し語とする説明情報が前記表示部に表示された際に、同表示された説明情報の見出し語に、ユーザ操作に応じて任意の色のマーカを付加し、前記リンク元図マーカ付加手段は、前記リンク先見出し語マーカ付加手段により前記説明情報の見出し語にマーカが付加された際に、当該見出し語のリンク元である図の中の文字列に同じ色のマーカを付加する、ことを特徴としている。
【００１３】
請求項５に記載の携帯機器は、ユーザ操作に応じて表示された図の中のいずれかの文字列を指定して、当該文字列にリンクされた当該文字列を含む説明情報を表示させるリンク指定説明情報表示手段を有する携帯機器において、前記表示された図の中の任意の文字列に、ユーザ操作に応じてマーカを付加する図マーカ付加手段と、前記図マーカ付加手段によりマーカが付加されない図の中の文字列について、前記リンク指定説明情報表示手段により当該文字列のリンクされた説明情報が表示された際に、同表示された説明情報中の前記リンク元の文字列部分に、ユーザ操作に応じてマーカを付加するリンク先文字列マーカ付加手段と、このリンク先文字列マーカ付加手段により前記説明情報中の前記リンク元の文字列部分にマーカが付加された際に、当該文字列部分のリンク元である図の中の文字列にマーカを付加するリンク元図マーカ付加手段と、を備えたことを特徴としている。
【発明の効果】
【００１４】
本発明によれば、説明情報がリンクされた図の中の文字列へのマーカ機能を実現し、これを利用してより効果的に学習することが可能になる携帯機器およびその制御プログラムを提供できる。
【図面の簡単な説明】
【００１５】
【図１】本発明の実施形態に係る電子辞書装置１０の外観構成を示す正面図。
【図２】前記電子辞書装置１０の電子回路の構成を示すブロック図。
【図３Ａ】前記電子辞書装置１０の辞書検索プログラム２２ａによる情報表示制御処理（その１）を示すフローチャート。
【図３Ｂ】前記電子辞書装置１０の辞書検索プログラム２２ａによる情報表示制御処理（その２）を示すフローチャート。
【図４】前記電子辞書装置１０の情報表示制御処理に伴う辞書情報の表示動作（その１）を示す図。
【図５】前記電子辞書装置１０の情報表示制御処理に伴う辞書情報の表示動作（その２）を示す図。
【図６】前記電子辞書装置１０の情報表示制御処理に伴う辞書情報の表示動作（その３）を示す図。
【図７】前記電子辞書装置１０の情報表示制御処理に伴う辞書情報の表示動作（その４）を示す図。
【図８】前記電子辞書装置１０の情報表示制御処理に伴う辞書情報の表示動作（その５）を示す図。
【図９】前記電子辞書装置１０の情報表示制御処理に伴う辞書情報の表示動作（その６）を示す図。
【図１０】前記電子辞書装置１０の情報表示制御処理に伴う辞書情報の表示動作（その７）を示す図。
【発明を実施するための形態】
【００１６】
以下図面により本発明の実施の形態について説明する。
【００１７】
図１は、本発明の実施形態に係る電子辞書装置１０の外観構成を示す正面図である。
【００１８】
この電子辞書装置１０は、以下に説明する電子辞書専用の携帯機器（電子辞書装置１０）として構成されるか、辞書機能を備えたＰＤＡ(personal digital assistants)、ＰＣ(personal computer)、携帯電話、電子ブック、携帯ゲーム機等として構成される。
【００１９】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、「戻る／リスト」キー１４ｄ、カーソルキー１４ｅなどを備えたキー入力部（キーボード）１４、スピーカ１５、および手書き入力部（副画面）１６が備えられる。
【００２０】
この手書き入力部（副画面）１６は、ユーザがペンや指等でタッチした位置を検出するタッチ位置検出装置と表示装置が一体となった構造であり、キー入力部１４の中央手前側において例えば２５６×６４ドットのカラー液晶表示画面１６ｄに透明タッチパネル１６ｔを重ねて構成される。この手書き入力部１６の入力領域は、必要に応じて、手書き文字を入力するための手書き文字（漢字）入力領域や各種機能のボタン入力領域、あるいは各入力領域が混在する領域に切り替えられる。
【００２１】
そして、前記手書き入力部１６が手書き文字入力領域に切り替えられた状態での手書き入力に伴う軌跡はそのカラー液晶表示画面１６ｄにエコーバックして表示される。
【００２２】
また蓋体ケース１２の表面には、そのほぼ全面を対象に例えば４８０×３２０ドットのバックライト付きのタッチパネル式カラー表示部（主画面）１７が設けられる。このタッチパネル式カラー表示部（主画面）１７も、前記手書き入力部（副画面）１６と同様に、ユーザがペンや指等でタッチした位置を検出するタッチ位置検出装置と表示装置が一体となった構造であり、そのカラー液晶表示画面１７ｄに透明タッチパネル１７ｔを重ねて構成される。
【００２３】
そして、前記タッチパネル式カラー表示部（主画面）１７の右端には、前記キー入力部１４における一部のキーの押下操作をタッチ操作により行うための、キー表記が固定印刷されたタッチキーエリア１７Ａが設けられる。
【００２４】
また、前記タッチパネル式カラー表示部（主画面）１７の左端には、表示内容に応じて実行可能な機能をタッチ操作により指定するための、各種のアイコンが表示されるタッチアイコンエリア１７Ｂが設けられる。
【００２５】
例えば、所望の辞書の見出し語を検索し、その説明情報に付加された解説図などを表示させた解説図表示画面Ｇ２が前記タッチパネル式カラー表示部１７に表示される場合、前記タッチアイコンエリア１７Ｂには、当該解説図表示画面Ｇ２に表示されている任意の文字列をタッチでなぞってカラーマーカにより識別表示させるためのマーカモードを設定する［マーカ］アイコンＢＭ、ユーザ所望の辞書の文字列にカラーマーカを付加しユーザ独自に分類して登録した学習帳を呼び出すための［学習帳］アイコンＢＴが表示される。
【００２６】
なお、図１の具体例では、［英和辞書］の見出し語「eye」の説明情報に付加された解説図を表示させた解説図表示画面Ｇ２において、当該解説図中の単語「eyelashes」に青色のマーカＭp1が引かれた状態を示している。
【００２７】
図２は、前記電子辞書装置１０の電子回路の構成を示すブロック図である。
【００２８】
この電子辞書装置１０は、各種の記憶媒体に記録されたプログラム、又は、伝送されたプログラムを読み込んで、その読み込んだプログラムによって動作が制御されるコンピュータによって構成され、その電子回路には、ＣＰＵ(central processing unit)２１が備えられる。
【００２９】
このＣＰＵ２１には、メモリ２２、記憶媒体読み書き部２４、通信制御部２５、キー入力部１４、手書き入力部（サブ画面）１６、タッチパネル式カラー表示部（メイン画面）１７などが接続される。
【００３０】
前記ＣＰＵ２１は、メモリ（フラッシュＲＯＭ）２２内に予め記憶された装置制御プログラム、あるいはＲＯＭカードなどの外部記憶媒体２３から記憶媒体読み書き部２４を介して前記メモリ２２に読み込まれた装置制御プログラム、あるいはインターネットＮ上のＷｅｂサーバ（この場合はプログラムサーバ）３０から通信制御部２５を介して前記メモリ２２に読み込まれた装置制御プログラムに応じて、回路各部の動作を制御する。
【００３１】
前記メモリ２２に記憶された装置制御プログラムは、キー入力部１４、手書き入力部（サブ画面）１６、タッチパネル式カラー表示部（メイン画面）１７からのユーザ操作に応じた入力信号、あるいは通信制御部２５を介して接続されるインターネットＮ上の各Ｗｅｂサーバ３０との通信信号、あるいは記憶媒体読み書き部２４を介して外部接続されるＥＥＰＲＯＭ，ＲＡＭ，ＲＯＭなどのメモリ・カード（記憶媒体）２３との接続通信信号に応じて起動される。
【００３２】
前記メモリ２２に記憶される装置制御プログラムとしては、当該電子辞書装置１０の全体の動作を司るシステムプログラムや、通信制御部２５を介してインターネットＮ上の各Ｗｅｂサーバや図示しないユーザＰＣ(Personal Computer)などとデータ通信するための通信プログラムが記憶される。
【００３３】
また、前記装置制御プログラムとしては、検索文字列の入力に応じて見出し語などを検索する見出し語検索処理、検索された見出し語に対応した説明情報（訳語・意味内容・例文・解説図など）の読み出し表示処理、表示された説明情報の中のユーザ任意の文字列にカラーマーカを付加しマーカ学習帳データメモリ２２ｃに登録する学習帳登録処理、登録された学習帳を呼び出して表示させる学習帳呼び出し処理など、同主記憶装置２２内に記憶された辞書データベース２２ｂに基づく処理全般を制御するための各種辞書検索プログラム２２ａが記憶される。
【００３４】
前記辞書データベース（英語系）２２ｂとしては、アルファベットの見出し語に対応付けてその意味内容（日本語訳）や解説図などの説明情報が記述された［英和辞書］、漢字／カナの見出し語に対応付けてその意味内容（英語訳）や解説図などの説明情報が記述された［和英辞書］などが記憶される。
【００３５】
また、辞書データベース（国語系）２２ｂとしては、漢字／カナの見出し語に対応付けてその意味内容や解説図などの説明情報が記述された［国語辞書］、漢字の見出し語に対応付けてその意味内容や解説図などの説明情報が記述された［漢和辞書］、漢字／カナ／アルファベットの見出し語に対応付けてその意味内容や解説図などの説明情報が記述された［百科辞典］などが記憶される。
【００３６】
マーカ学習帳データメモリ２２ｃには、見出し語検索された見出し語の説明情報（見出し語とその意味内容／解説図／用例／例文）に記述されている所望の文字列（単語や熟語）にマーカを付加して学習帳登録した際に、同マーカを付加した辞書の辞書名と見出し語、同マーカを付加した説明情報の種類（見出し語／図／用例／例文）、同マーカを付加した色と文字位置と文字列からなるマーカ毎のマーカ情報１，２，…が記憶される。
【００３７】
この電子辞書装置１０は、ユーザ入力された検索文字列に対応する見出し語を検索し、検索された見出し語の説明情報（見出し語とその意味内容／図／用例／例文）を選択的に表示させる機能に加えて、少なくとも以下の６つの機能を有する。
【００３８】
(1) 説明情報（見出し語とその意味内容／図／用例／例文）の表示画面において、任意の文字列を指定してマーカを付加する機能。
【００３９】
(2) マーカを付加した文字列のマーカ情報をマーカ学習帳データメモリ２２ｃに登録する機能。
【００４０】
(3) 解説図表示画面Ｇ２のマーカを付加した文字列を指定し、当該文字列にリンク付けされた見出し語の説明情報をジャンプ検索して表示させた際に、その見出し語に同色のマーカを付加して表示させると共に、マーカ情報をマーカ学習帳データメモリ２２ｃに登録する機能。
【００４１】
(4) 解説図表示画面Ｇ２のマーカの無い文字列を指定し、当該文字列にリンク付けされた見出し語の説明情報をジャンプ検索して表示させた状態で、その見出し語にマーカを付加すると、リンク元の前記解説図表示画面Ｇ２にて指定された文字列にも同色のマーカを付加し、マーカ情報をマーカ学習帳データメモリ２２ｃに登録する機能。
【００４２】
(5) マーカ学習帳データメモリ２２ｃに登録された任意の見出し語の説明情報（見出し語とその意味内容／図／用例／例文）を表示させる際に、ユーザ任意に指定された色のマーカが付加されている文字列を隠して表示させ、この後、当該隠し表示を「訳／決定」キー１４ｃの入力に応じて解除する機能。
【００４３】
(6) (5)で隠し表示された解説図表示画面Ｇ２におけるマーカ部分を指定し、当該マーカ部分の文字列にリンク付けされた見出し語の説明情報をジャンプ検索して表示させた際に、その説明情報に含まれる前記マーカ部分の文字列と同じ文字列を全て同色のマーカで隠して表示させ、この後、当該隠し表示を「訳／決定」キー１４ｃの入力に応じて解除する機能。
【００４４】
そして、これらの機能は、前記ＣＰＵ２１が前記各種辞書検索プログラム２２ａに従い回路各部の動作を制御し、ソフトウエアとハードウエアとが協働することにより実現される。
【００４５】
次に、前記構成による電子辞書装置１０の動作について説明する。
【００４６】
図３Ａは、前記電子辞書装置１０の辞書検索プログラム２２ａによる情報表示制御処理（その１）を示すフローチャートである。
【００４７】
図３Ｂは、前記電子辞書装置１０の辞書検索プログラム２２ａによる情報表示制御処理（その２）を示すフローチャートである。
【００４８】
（マーカ学習帳へのマーカ単語登録）
図４は、前記電子辞書装置１０の情報表示制御処理に伴う辞書情報の表示動作（その１）を示す図である。
【００４９】
図５は、前記電子辞書装置１０の情報表示制御処理に伴う辞書情報の表示動作（その２）を示す図である。
【００５０】
図６は、前記電子辞書装置１０の情報表示制御処理に伴う辞書情報の表示動作（その３）を示す図である。
【００５１】
図７は、前記電子辞書装置１０の情報表示制御処理に伴う辞書情報の表示動作（その４）を示す図である。
【００５２】
辞書指定キー１４ｂの操作に応じて［英和辞書］が選択された状態で（ステップＳ１）、文字入力キー１４ａの操作に応じて検索文字列“eye”が入力され、「訳／決定」キー１４ｃが操作されると（ステップＳ２）、同検索文字列“eye”に対応する見出し語が前記［英和辞書］（２２ｂ）から検索されて一覧表示される（ステップＳ３）。
【００５３】
そして、一覧表示された見出し語の中から、ユーザ操作に応じて見出し語“eye”が選択され「訳／決定」キー１４ｃが操作されると（ステップＳ４）、図４（Ａ）に示すように、選択された見出し語“eye”に対応する説明情報（見出し語とその意味内容（含む解説図／用例／例文の項目））が前記［英和辞書］（２２ｂ）から読み出され、説明情報表示画面Ｇ１としてタッチパネル式カラー表示部１７に表示される（ステップＳ５）。
【００５４】
すると、マーカ学習帳データメモリ２２ｃに、現在表示中の説明情報表示画面Ｇ１に該当する見出し語“eye”のマーカ情報が登録されているか否か（ステップＳ６）、または、図中のマーカ文字列からのリンク／ジャンプ検索により表示された説明情報表示画面Ｇ１であるか否か（ステップＳ７）、または、表示中の説明情報にマーカを付加するか否か（ステップＳ８）、または、表示中の説明情報の解説図を表示するか否か（ステップＳ９）、または、表示中の説明情報からジャンプ検索するか否か（ステップＳ１０）が判断される。
【００５５】
ここで、図４（Ｂ）に示すように、説明情報表示画面Ｇ１にて表示されている解説図を表示させるための項目［解説］がタッチされて選択されるか、または、キー入力部１４の「用例／解説」キー（図示せず）が操作されることにより、表示中の説明情報の解説図を表示すると判断されると（ステップＳ９（Ｙｅｓ））、見出し語“eye”に対応する説明情報の解説図が読み出され、解説図表示画面Ｇ２としてタッチパネル式カラー表示部１７に表示される（ステップＳ１１）。
【００５６】
すると、マーカ学習帳データメモリ２２ｃに、現在表示中の見出し語“eye”の解説図表示画面Ｇ２を対象とするマーカ情報が登録されているか否か判断される（ステップＳ１２）。
【００５７】
ここで、前記見出し語“eye”の解説図表示画面Ｇ２を対象とするマーカ情報は登録されていないと判断されると（ステップＳ１２（Ｎｏ））、表示中の解説図にマーカを付加するか否か（ステップＳ１３）、または、当該解説図中のリンクのある文字列が指定されたか否か判断される（ステップＳ１４）。
【００５８】
ここで、タッチアイコンエリア１７Ｂの［マーカ］アイコンＢＭがタッチ操作されると、表示中の解説図にマーカを付加すると判断される（ステップＳ１３（Ｙｅｓ））。
【００５９】
そして、図４（Ｃ）に示すように、［ペン］アイコンＢＰがタッチ操作されると共に、［カラー］アイコンＢＣのタッチ操作に応じてマーカの色（青）が指定される（ステップＳ１５）。
【００６０】
この後、タッチペンＰにより図中のマーカを引きたい文字列“eyelashes”の範囲Ｅｍに対応する左上の位置と右下の位置とが指定されると（ステップＳ１６）、図４（Ｄ）に示すように、登録対象のマーカ学習帳［１］Ｌ１〜［６］Ｌ６を選択するための学習帳選択画面Ｇ３がタッチパネル式カラー表示部１７に表示される。
【００６１】
ここで、タッチペンＰにより例えばマーカ学習帳［１］Ｌ１が選択され、［登録］アイコンＢＲがタッチされると、マーカ学習帳データメモリ２２ｃの学習帳［１］のメモリエリアに対し、辞書名「英和」、種類「図」、見出し語「eye」に対応付けたマーカ情報１「青(300,285)-(370,310)eyelashes」（図２参照）が登録され、登録完了メッセージＲ１が表示される（ステップＳ１７）。
【００６２】
すると、前記マーカ学習帳データメモリ２２ｃの学習帳［１］に対するマーカ情報１の登録に応じて、見出し語“eye”の解説図表示画面Ｇ２にてペンタッチされた文字列“eyelashes”の位置に、図５（Ｅ）に示すように、青色の図マーカＭp1が付加されて表示される（ステップＳ１８）。
【００６３】
ここで、前記見出し語“eye”の解説図表示画面Ｇ２にてさらに別の図マーカを追加したい場合に、タッチアイコンエリア１７Ｂの［カラー］アイコンＢＣがタッチ操作されると、マーカ処理終了せずと判断され（ステップＳ１９（Ｎｏ））、前記［カラー］アイコンＢＣのタッチ操作に応じて、追加したい図マーカの色が指定される（ステップＳ１５）。
【００６４】
一方、前記図５（Ｅ）で示したように、見出し語“eye”の解説図における文字列“eyelashes”に青色の図マーカＭp1を付加した解説図表示画面Ｇ２において、当該図マーカＭp1（青）の文字列“eyelashes”がタッチされると、マーカ処理終了と判断され（ステップＳ１９（Ｙｅｓ））、同解説図中のリンクのある文字列が指定されたと判断される（ステップＳ１４（Ｙｅｓ））。
【００６５】
すると、前記指定されたマーカ文字列のリンク先の見出し語“eyelashes”に対応する説明情報（見出し語とその意味内容）が読み出され、図５（Ｆ）に示すように、見出し語“eyelashes”の説明情報表示画面Ｇ１としてタッチパネル式カラー表示部１７に表示される（ステップＳ２０）。
【００６６】
この際、図中のマーカ文字列からのリンク／ジャンプ検索により表示された説明情報表示画面Ｇ１であると判断され（ステップＳ７（Ｙｅｓ））、リンク元のマーカ文字列“eyelashes”と同じ文字列（見出し語“eyelashes”）が検知され、同色の見出し語マーカＭe1（青）が付加されて表示される（ステップＳ２１）。
【００６７】
すると、マーカ学習帳データメモリ２２ｃの学習帳［１］のメモリエリアに対し、辞書名「英和」、種類「見出し語」、見出し語「eyelashes」に対応付けたマーカ情報１「青・２行１文字目〜８文字・eyelashes」が自動で登録される（ステップＳ２２）。
【００６８】
この後、図６（Ｇ）に示すように、「戻る／リスト」キー１４ｄが操作されると、前記図５（Ｅ）で示した画面と同様の見出し語“eye”の解説図における文字列“eyelashes”に図マーカＭp1（青）を付加した解説図表示画面Ｇ２が表示される（ステップＳ９（Ｙｅｓ）→Ｓ１１，Ｓ１２（Ｙｅｓ）→Ｓ２３）。
【００６９】
そして、前記見出し語“eye”の解説図表示画面Ｇ２において、マーカの無い文字列“eyebrow”がタッチされると、同解説図中のリンクのある文字列が指定されたと判断される（ステップＳ１４（Ｙｅｓ））。
【００７０】
すると、前記指定された文字列のリンク先の見出し語“eyebrow”に対応する説明情報が読み出され、図６（Ｈ）に示すように、見出し語“eyebrow”の説明情報表示画面Ｇ１としてタッチパネル式カラー表示部１７に表示される（ステップＳ２０）。
【００７１】
この際、マーカ学習帳データメモリ２２ｃには、現在表示中の説明情報表示画面Ｇ１に該当する見出し語“eyebrow”のマーカ情報が登録されていないと判断されると共に（ステップＳ６（Ｎｏ））、図中のマーカ文字列からのリンク／ジャンプ検索により表示された説明情報表示画面Ｇ１ではないと判断される（ステップＳ７（Ｎｏ））。
【００７２】
ここで、タッチアイコンエリア１７Ｂの［マーカ］アイコンＢＭがタッチ操作されると、表示中の説明情報にマーカを付加すると判断される（ステップＳ８（Ｙｅｓ））。
【００７３】
そして、図６（Ｉ）に示すように、［ペン］アイコンＢＰがタッチ操作されると共に、［カラー］アイコンＢＣのタッチ操作に応じてマーカの色（赤）が指定される（ステップＳ２４）。
【００７４】
この後、タッチペンＰにより説明情報中のマーカを引きたい文字列である見出し語“eyebrow”が指定されると（ステップＳ２５）、登録対象のマーカ学習帳［１］Ｌ１〜［６］Ｌ６を選択するための学習帳選択画面Ｇ３（図４（Ｄ）参照）がタッチパネル式カラー表示部１７に表示される。
【００７５】
ここで、タッチペンＰにより例えばマーカ学習帳［１］Ｌ１が選択され、［登録］アイコンＢＲがタッチされると、マーカ学習帳データメモリ２２ｃの学習帳［１］のメモリエリアに対し、辞書名「英和」、種類「見出し語」、見出し語「eyebrow」に対応付けたマーカ情報１「赤・２行１文字目〜８文字・eyebrow」が登録され、登録完了メッセージが表示される（ステップＳ２６）。
【００７６】
すると、前記マーカ学習帳データメモリ２２ｃの学習帳［１］に対するマーカ情報１の登録に応じて、見出し語“eyebrow”の説明情報表示画面Ｇ１にてペンタッチされた文字列“eyebrow”の位置に、赤色の見出し語マーカＭe2が付加されて表示される（ステップＳ２７）。
【００７７】
ここで、前記解説図（表示画面Ｇ２）中の文字列“eyebrow”からのリンク／ジャンプ検索により表示された説明情報表示画面Ｇ１であると判断されると（ステップＳ２８（Ｙｅｓ））、当該リンク元である図中の文字列“eyebrow”と同じ文字列にマーカを付けたか否か判断される（ステップＳ２９）。
【００７８】
この場合、リンク元である図中の文字列“eyebrow”と同じ文字列“eyebrow”にマーカを付けたと判断されるので（ステップＳ２９（Ｙｅｓ））、当該リンク元である見出し語“eye”の解説図（図６（Ｇ）参照）についてマーカ登録されているマーカ学習帳［１］のメモリエリア（２２ｃ）に対し、該当する文字列“eyebrow”のマーカ情報２「赤…eyebrow」（図２参照）が自動で追加登録され、追加登録完了メッセージＲ２が表示される（ステップＳ３０）。
【００７９】
ここで、前記見出し語“eyebrow”の説明情報表示画面Ｇ１にてさらに別の見出し語マーカを追加したい場合に、タッチアイコンエリア１７Ｂの［カラー］アイコンＢＣがタッチ操作されると、マーカ処理終了せずと判断され（ステップＳ３１（Ｎｏ））、前記［カラー］アイコンＢＣのタッチ操作に応じて、追加したい見出し語マーカの色が指定される（ステップＳ２４）。
【００８０】
一方、図７（Ｊ）に示すように、「戻る／リスト」キー１４ｄが操作されると、マーカ処理終了と判断され（ステップＳ３１（Ｙｅｓ））、前記図６（Ｇ）で示した画面と同様の見出し語“eye”の解説図表示画面Ｇ２が表示される（ステップＳ９（Ｙｅｓ）→Ｓ１１）。
【００８１】
この際、マーカ学習帳データメモリ２２ｃの学習帳［１］のメモリエリアには、当該見出し語“eye”の解説図を対象とするマーカ情報１「青(300,285)-(370,310)eyelashes」およびマーカ情報２「赤…eyebrow」が登録されていると判断され（ステップＳ１２（Ｙｅｓ））、これに従い、文字列“eyelashes”に図マーカＭp1（青）が表示されると共に、文字列“eyebrow”に図マーカＭp2（赤）が表示される（ステップＳ１２（Ｙｅｓ）→Ｓ２３）。
【００８２】
そして、前記見出し語“eye”の解説図表示画面Ｇ２（図７（Ｊ）参照）において、さらにマーカの無い文字列“pupil”がタッチされると、同解説図中のリンクのある文字列が指定されたと判断される（ステップＳ１４（Ｙｅｓ））。
【００８３】
すると、前記指定された文字列のリンク先の見出し語“pupil 2”に対応する説明情報が読み出され、図７（Ｋ）に示すように、見出し語“pupil 2”の説明情報表示画面Ｇ１としてタッチパネル式カラー表示部１７に表示される（ステップＳ２０）。
【００８４】
ここで、キー入力部１４の「ジャンプ」キー（図示せず）が操作されジャンプ検索モードに設定された状態で（ステップＳ１０（Ｙｅｓ））、前記説明情報表示画面Ｇ１（図７（Ｋ）参照）内の文字列“pupil”が指定され「訳／決定」キー１４ｃが操作されると（ステップＳ３２）、当該指定の文字列“pupil”に対応する見出し語が検索されて一覧表示される（ステップＳ３３）。
【００８５】
そして、一覧表示された見出し語の中から、ユーザ操作に応じて見出し語“pupil 1”が選択され「訳／決定」キー１４ｃが操作されると（ステップＳ４）、図７（Ｌ）に示すように、選択された見出し語“pupil 1”に対応する説明情報が前記［英和辞書］（２２ｂ）から読み出され、説明情報表示画面Ｇ１としてタッチパネル式カラー表示部１７に表示される（ステップＳ５）。
【００８６】
ここで、タッチアイコンエリア１７Ｂの［マーカ］アイコンＢＭがタッチ操作されると、表示中の説明情報にマーカを付加すると判断される（ステップＳ８（Ｙｅｓ））。
【００８７】
そして、図７（Ｍ）に示すように、［ペン］アイコンＢＰがタッチ操作されると共に、［カラー］アイコンＢＣのタッチ操作に応じてマーカの色（黄）が指定される（ステップＳ２４）。
【００８８】
この後、タッチペンＰにより説明情報中のマーカを引きたい文字列である見出し語“pupil”が指定されると（ステップＳ２５）、登録対象のマーカ学習帳［１］Ｌ１〜［６］Ｌ６を選択するための学習帳選択画面Ｇ３（図４（Ｄ）参照）がタッチパネル式カラー表示部１７に表示される。
【００８９】
ここで、タッチペンＰにより例えばマーカ学習帳［１］Ｌ１が選択され、［登録］アイコンＢＲがタッチされると、マーカ学習帳データメモリ２２ｃの学習帳［１］のメモリエリアに対し、辞書名「英和」、種類「見出し語」、見出し語「pupil」に対応付けたマーカ情報１「黄・２行１文字目〜６文字・pupil」が登録され、登録完了メッセージが表示される（ステップＳ２６）。
【００９０】
すると、前記マーカ学習帳データメモリ２２ｃの学習帳［１］に対するマーカ情報１の登録に応じて、見出し語“pupil 1”の説明情報表示画面Ｇ１にてペンタッチされた文字列“pupil”の位置に、黄色の見出し語マーカＭe3が付加されて表示される（ステップＳ２７）。
【００９１】
ここで、前記解説図（表示画面Ｇ２）中の文字列“pupil”からのリンク／ジャンプ検索により表示された説明情報表示画面Ｇ１であると判断されると（ステップＳ２８（Ｙｅｓ））、当該リンク元である図中の文字列“pupil”と同じ文字列にマーカを付けたか否か判断される（ステップＳ２９）。
【００９２】
この場合、リンク元である図中の文字列“pupil”と同じ文字列“pupil”にマーカを付けたと判断されるので（ステップＳ２９（Ｙｅｓ））、当該リンク元である見出し語“eye”の解説図（図７（Ｊ）参照）についてマーカ登録されているマーカ学習帳［１］のメモリエリア（２２ｃ）に対し、該当する文字列“pupil”のマーカ情報３「黄…pupil」（図２参照）が自動で追加登録され、追加登録完了メッセージＲ２が表示される（ステップＳ３０）。
【００９３】
このように、見出し語“eye”の説明情報の解説図表示画面Ｇ２において、任意の色（青）、任意の文字列“eyelashes”を指定して図マーカＭp1（青）を付加すると、マーカ学習帳データメモリ２２ｃに対し、当該見出し語“eye”の解説図のマーカ情報として登録される。
【００９４】
そして、前記見出し語“eye”の解説図表示画面Ｇ２の図マーカＭp1（青）が付加されたマーカ文字列“eyelashes”が指定されると、当該マーカ文字列“eyelashes”を見出し語としてリンク付けされた説明情報表示画面Ｇ１がジャンプ検索されて表示され、その見出し語の文字列“eyelashes”が前記図マーカＭp1（青）と同色の見出し語マーカＭe1（青）により表示されると共に、前記マーカ学習帳データメモリ２２ｃに対し、当該見出し語“eyelashes”の見出し語説明情報のマーカ情報として登録される。
【００９５】
また、前記見出し語“eye”の解説図表示画面Ｇ２のマーカの無い文字列“eyebrow”が指定されることで、当該文字列“eyebrow”を見出し語としてリンク付けされた説明情報表示画面Ｇ１がジャンプ検索されて表示された状態で、任意の色（赤）、任意の文字列（見出し語）“eyebrow”を指定して見出し語マーカＭe2（赤）を付加すると、前記マーカ学習帳データメモリ２２ｃに対し、当該見出し語“eyebrow”の見出し語説明情報のマーカ情報として登録される。またこれと共に、前記見出し語“eye”の解説図表示画面Ｇ２におけるリンク元の文字列“eyebrow”と同じ文字列（見出し語）“eyebrow”を指定して見出し語マーカＭe2（赤）を付加したと判断されることで、当該リンク元である見出し語“eye”の解説図表示画面Ｇ２における文字列“eyebrow”にも同色の図マーカＭp2（赤）が付加され、同見出し語“eye”の解説図のマーカ情報として追加登録される。
【００９６】
このため、所望の見出し語の解説図に表記されている任意の単語に任意の色の図マーカを付加してマーカ登録できるだけでなく、当該図中のマーカ単語を指定して同単語を見出し語としてリンクされた説明情報にジャンプして表示すると、この説明情報の見出し語にも同色の見出し語マーカが付加されマーカ自動登録される。しかも、所望の見出し語の解説図に表記されている任意の単語からのリンクによりジャンプ表示された説明情報において、そのリンク元の単語と同一文字列である見出し語に任意の色の見出し語マーカを付加してマーカ登録すると、リンク元である解説図の単語にも同色の図マーカが付加されマーカ自動登録される。
【００９７】
よって、ある解説図に表記されている各単語と、当該各単語を見出し語としてそれぞれリンク付けされた説明情報との間で、マーカ単語を共通化できるようになる。
【００９８】
（マーカ学習帳による単語学習）
図８は、前記電子辞書装置１０の情報表示制御処理に伴う辞書情報の表示動作（その５）を示す図である。
【００９９】
図９は、前記電子辞書装置１０の情報表示制御処理に伴う辞書情報の表示動作（その６）を示す図である。
【０１００】
図１０は、前記電子辞書装置１０の情報表示制御処理に伴う辞書情報の表示動作（その７）を示す図である。
【０１０１】
なお、このマーカ学習帳による単語学習の動作説明において、学習帳選択画面Ｇ３（図８（Ｎ）参照）の表示に伴う処理、マーカ登録一覧画面Ｇ４（図８（Ｏ）参照）の表示に伴う処理、およびマーカ付加した文字列を隠して表示させ「訳／決定」キー１４ｃの操作によりその隠し表示を解除する処理については、説明情報表示画面Ｇ１を対象とする分野で既に実現されているので、詳細なフローチャートを用いての説明は省略する。
【０１０２】
辞書指定キー１４ｂの操作によりマーカ学習帳が指定されると、図８（Ｎ）に示すように、学習対象のマーカ学習帳［１］Ｌ１〜［６］Ｌ６を選択するための学習帳選択画面Ｇ３がタッチパネル式カラー表示部１７に表示される。
【０１０３】
この際、タッチアイコンエリア１７Ｂには、学習帳選択画面Ｇ３にて選択される学習帳に登録されたマーカ文字列（単語）について、その文字列を隠して表示するマーカの色を選択的に指定するためのアイコン（［赤隠す］ＢＫｒ→［黄隠す］ＢＫｙ→［青隠す］ＢＫｂ→［全て隠す］ＢＫａ→［隠さず表示］ＢＫ0）が、タッチ操作される毎に順次切り替えられて表示される。
【０１０４】
この学習帳選択画面Ｇ３において、例えば図８（Ｏ）に示すように、マーカ学習帳［１］Ｌ１がタッチされて選択されると、当該マーカ学習帳［１］Ｌ１に登録されている辞書・見出し語・種類・マーカ色の一覧を示すマーカ登録一覧画面Ｇ４がタッチパネル式カラー表示部１４に表示される。
【０１０５】
具体的には、反転カーソルＣｕにより選択された項目［Ａ］には、［英和辞書］の見出し語「eye」に対応する解説図を対象に、赤、黄、青の全色のマーカ文字列（単語）が登録されていることを示すマーカ色表記ＭＣr（赤），ＭＣy（黄），ＭＣb（青）が配列されて表示される。
【０１０６】
前記図８（Ｎ）における学習帳選択画面Ｇ３において、タッチアイコンエリア１７Ｂに［全て隠す］アイコンＢＫａを表示させると共に、マーカ学習帳［１］Ｌ１を選択する。そして、図８（Ｏ）におけるマーカ登録一覧画面Ｇ４において、反転カーソルＣｕにより前記項目［Ａ］（［英和］［eye］図）を選択して「訳／決定」キー１４ｃを操作する。
【０１０７】
すると、図８（Ｐ）に示すように、マーカ学習帳データメモリ２２ｃの単語帳［１］のメモリエリアに登録されている［英和辞書］の見出し語「eye」に対応する解説図のマーカ情報（マーカ情報１「青(300,285)-(370,310)eyelashes」／マーカ情報２「赤…eyebrow」／マーカ情報３「黄…pupil」）に従い、当該見出し語「eye」に対応する解説図表示画面Ｇ２が表示されると共に、同図中の文字列“eyelashes”には図マーカＭp1（青）が付加され、文字列“eyebrow”には図マーカＭp2（赤）が付加され、文字列“pupil”には図マーカＭp3（黄）が付加され、何れもその文字列が隠されて表示される（ステップＳ９（Ｙｅｓ）→Ｓ１１，Ｓ１２（Ｙｅｓ）→Ｓ２３）。
【０１０８】
ここで、図８（Ｑ）に示すように、「訳／決定」キー１４ｃが操作されると、前記各図マーカＭp1（青），Ｍp2（赤），Ｍp3（黄）が付加されているところの各文字列“eyelashes”“eyebrow”“pupil”の隠し表示が解除される。
【０１０９】
このため、説明情報表示画面Ｇ１のみならず、解説図表示画面Ｇ２をも対象とするマーカ単語の登録・学習機能を実現できる。
【０１１０】
一方、前記図８（Ｐ）で示した、マーカ付加文字列を隠して表示した見出し語「eye」の解説図表示画面Ｇ２において、図マーカＭp2（赤）がタッチされて指定されると、同解説図中のリンクのある文字列が指定されたと判断される（ステップＳ１４（Ｙｅｓ））。
【０１１１】
すると、図９（Ｒ）に示すように、前記指定された図マーカＭp2（赤）が付加された文字列のリンク先の見出し語“eyebrow”に対応する説明情報（見出し語とその意味内容）が読み出され、見出し語“eyebrow”の説明情報表示画面Ｇ１としてタッチパネル式カラー表示部１７に表示される（ステップＳ２０）。
【０１１２】
この際、マーカ学習帳データメモリ２２ｃの学習帳［１］のメモリエリアには、辞書名「英和」、種類「見出し語」、見出し語「eyebrow」に対応付けたマーカ情報１「赤・２行１文字目〜８文字・eyebrow」が登録されているので（ステップＳ６（Ｙｅｓ））、これに従い、説明情報表示画面Ｇ１の見出し語“eyebrow”に見出し語マーカ（赤）Ｍe2が付加され、その文字列が隠されて表示される（ステップＳ３４）。
【０１１３】
さらに、表示中の説明情報表示画面Ｇ１は、前記解説図中のマーカ文字列からのリンク／ジャンプ検索により表示された説明情報表示画面Ｇ１であると判断されるので（ステップＳ７（Ｙｅｓ））、リンク元のマーカ文字列“eyebrow”と同じ文字列が全て検知されて同色の見出し語マーカＭe2（赤）が付加され、その文字列が隠されて表示される（ステップＳ２１）。
【０１１４】
すると、マーカ学習帳データメモリ２２ｃの学習帳［１］のメモリエリアに対し、辞書名「英和」、種類「見出し語」、見出し語「eyebrow」に対応付けたマーカ情報２「赤・６行１文字目〜８文字・eyebrow」、マーカ情報３「赤・８行１文字目〜８文字・eyebrow」が自動で追加登録される（ステップＳ２２）。
【０１１５】
なおここで、キー入力部１４の「音声」キーが操作されると、前記見出し語マーカ（赤）Ｍe2が付加されて隠し表示されているところの文字列“eyebrow”の読み上げ音声がスピーカ１５から出力される。
【０１１６】
そして、図９（Ｓ）に示すように、「訳／決定」キー１４ｃが操作されると、前記見出し語マーカＭe2（赤）が付加されているところの文字列“eyebrow”の隠し表示が解除される。
【０１１７】
一方、前記図８（Ｐ）で示した、マーカ付加文字列を隠して表示した見出し語「eye」の解説図表示画面Ｇ２において、図マーカＭp3（黄）がタッチされて指定されると、同解説図中のリンクのある文字列が指定されたと判断される（ステップＳ１４（Ｙｅｓ））。
【０１１８】
すると、図１０（Ｔ）に示すように、前記指定された図マーカＭp3（黄）が付加された文字列のリンク先の見出し語“pupil 2”に対応する説明情報（見出し語とその意味内容）が読み出され、見出し語“pupil 2”の説明情報表示画面Ｇ１としてタッチパネル式カラー表示部１７に表示される（ステップＳ２０）。
【０１１９】
この際、マーカ学習帳データメモリ２２ｃの学習帳［１］のメモリエリアには、辞書名「英和」、種類「見出し語」、見出し語「pupil」に対応付けたマーカ情報１「黄・２行１文字目〜６文字・pupil」が登録されているので（ステップＳ６（Ｙｅｓ））、これに従い、説明情報表示画面Ｇ１の見出し語“pupil”に見出し語マーカ（黄）Ｍe3が付加され、その文字列が隠されて表示される（ステップＳ３４）。
【０１２０】
さらに、表示中の説明情報表示画面Ｇ１は、前記解説図中のマーカ文字列からのリンク／ジャンプ検索により表示された説明情報表示画面Ｇ１であると判断されるので（ステップＳ７（Ｙｅｓ））、リンク元のマーカ文字列“pupil”と同じ文字列が全て検知されて同色の見出し語マーカＭe3（黄）が付加され、その文字列が隠されて表示される（ステップＳ２１）。
【０１２１】
すると、マーカ学習帳データメモリ２２ｃの学習帳［１］のメモリエリアに対し、辞書名「英和」、種類「見出し語」、見出し語「pupil」に対応付けたマーカ情報２「黄・３行１６文字目〜６文字・pupil」が自動で追加登録される（ステップＳ２２）。
【０１２２】
そして、図１０（Ｕ）に示すように、「訳／決定」キー１４ｃが操作されると、前記見出し語マーカＭe3（黄）が付加されているところの文字列“pupil”の隠し表示が解除される。
【０１２３】
このように、ある解説図に表記されている各単語と、当該各単語を見出し語としてそれぞれリンク付けされた説明情報との間で、マーカ単語を共通化できるだけでなく、各マーカ単語を隠し表示した解説図表示画面Ｇ２と、当該解説図表示画面Ｇ２のマーカ単語からのリンクによりジャンプし、同一のマーカ単語を隠し表示した説明情報表示画面Ｇ１との連携により、マーカ単語のより効果的な学習機能を実現できる。
【０１２４】
なお、前記実施形態において記載した電子辞書装置１０による各処理の手法およびデータベース、すなわち、図３Ａ，図３Ｂのフローチャートに示す辞書検索プログラム２２ａによる情報表示制御処理などの各手法、および辞書データベース２２ｂは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、コンピュータは、この外部記憶媒体２３に記憶されたプログラムを記憶装置（２２）に読み込み、この読み込んだプログラムによって動作が制御されることにより、前記実施形態において説明した解説図表示画面Ｇ２でのマーカ単語の登録・表示機能と説明情報表示画面Ｇ１でのマーカ単語の登録・表示機能とを連携した各マーカ単語の隠し表示機能を実現し、前述した手法による同様の処理を実行することができる。
【０１２５】
また、前記各手法を実現するためのプログラムのデータは、プログラムコードの形態としてネットワークＮ上を伝送させることができ、このプログラムデータを、ネットワークＮに接続されたコンピュータに通信制御部２５によって取り込むことで、前述した解説図表示画面Ｇ２でのマーカ単語の登録・表示機能と説明情報表示画面Ｇ１でのマーカ単語の登録・表示機能とを連携した各マーカ単語の隠し表示機能を実現することもできる。
【０１２６】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１２７】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…「戻る／リスト」キー
１４ｅ…カーソルキー
１５  …スピーカ
１６  …手書き入力部
１６ｄ…カラー液晶表示画面
１６ｔ…透明タッチパネル
１７  …タッチパネル式カラー表示部
１７ｄ…カラー液晶表示画面
１７ｔ…透明タッチパネル
１７Ａ…タッチキーエリア
１７Ｂ…タッチアイコンエリア
２１  …ＣＰＵ
２２  …メモリ
２２ａ…辞書検索プログラム
２２ｂ…辞書データベース
２２ｃ…マーカ学習帳データメモリ
２２ｄ…ワークエリア
２３  …外部記憶媒体
２４  …記憶媒体読み書き部
２５  …通信制御部
３０  …Ｗｅｂサーバ
Ｎ    …通信ネットワーク
Ｇ１  …説明情報表示画面
Ｇ２  …解説図表示画面
Ｇ３  …学習帳選択画面
Ｇ４  …マーカ登録一覧画面
ＢＭ  …［マーカ］アイコン
ＢＴ  …［学習帳］アイコン
ＢＰ  …［ペン］アイコン
ＢＣ  …［カラー］アイコン
ＢＲ  …［登録］アイコン
ＢＫａ…［全て隠す］アイコン
Ｃｕ  …カーソル
Ｐ    …タッチペン
Ｍpn  …図マーカ
Ｍen  …見出し語マーカ
Ｒ１  …登録完了メッセージ
Ｒ２  …追加登録完了メッセージ
ＭＣ  …マーカ色表記
【図１】
0005472378.tif 000002
【図２】
0005472378.tif 000003
【図３Ａ】
0005472378.tif 000004
【図３Ｂ】
0005472378.tif 000005
【図４】
0005472378.tif 000006
【図５】
0005472378.tif 000007
【図６】
0005472378.tif 000008
【図７】
0005472378.tif 000009
【図８】
0005472378.tif 000010
【図９】
0005472378.tif 000011
【図１０】
0005472378.tif 000012